(57)【要約】      （修正有）【課題】急速施工可能な既設壁高欄の部分更新工法の提供。【解決手段】(1)設壁高欄1の橋軸方向の一定区間Aを鉛直方向と橋軸方向に複数に切断しなから撤去する。(2)壁高欄1の鉛直切断面1aにアンカー鉄筋定着用孔を削孔する。(3)鉛直切断面1aに接合リブ4aを有する接合治具を取り付ける。(4)壁高欄1と隣接する区間A1にプレキャスト壁高欄3Aを設置し、プレキャスト壁高欄3Aの凹溝5に接合リブ4aに係合する。(5)プレキャスト壁高欄3Aを設置した区間A1に隣接する区間A2に橋軸方向の一方の鉛直端面に凹溝5、他方の鉛直端面に接合リブ7aをそれぞれ有する複数のプレキャスト壁高欄3Bを橋軸方向に互いに隣接させて設置し、隣接する各凹溝5と接合リブ7aを互いに係合する。(6)各凹溝5内に超速硬高流動性無収縮モルタルを充填する。【選択図】図８
2019214821.tif 000002
【特許請求の範囲】
【請求項１】
道路橋の床版部に設置された既設壁高欄の一定区間を複数のプレキャスト壁高欄と交換する既設壁高欄の部分更新工法であって、以下の工程からなることを特徴とする既設壁高欄の部分更新工法。
(1)前記既設壁高欄の橋軸方向の一定区間を鉛直方向と前記床版上面部を橋軸方向に切断して撤去する工程。
(2)前記既設壁高欄を撤去した区間の一方の既設壁高欄の鉛直切断面にアンカー鉄筋定着用孔を削孔する工程。
(3)前記既設壁高欄の鉛直切断面に、孔あき鋼板からなる接合リブと固定フランジとからなる平面視Ｔ形状の接合治具を前記アンカー鉄筋定着用孔に定着される複数のアンカー鉄筋によって取り付ける工程。
(4)前記既設壁高欄と隣接する位置に、橋軸方向の少なくとも一方の鉛直端面に凹溝を備えたプレキャスト壁高欄を設置すると共に、前記凹溝を前記接合治具の接合リブと係合させる工程。
(5)前記プレキャスト壁高欄を設置した区間を除く区間に、橋軸方向の一方の鉛直端面に凹溝、他方の鉛直端面に孔あき鋼板からなる接合リブをそれぞれ備えた複数のプレキャスト壁高欄を橋軸方向に互いに隣接させて設置すると共に、隣接する前記凹溝と接合リブどうしを互いに係合させる工程。
(6)前記凹溝内に超速硬高流動性無収縮モルタルを充填する工程。
【請求項２】
請求項１記載の既設壁高欄の部分更新工法において、前記接合治具は前記既設壁高欄の鉛直切断面に複数の固定用アンカーによって取り付けることを特徴とする既設壁高欄の部分更新工法。
【請求項３】
道路橋の既設壁高欄の一部が撤去された区間に設置されるプレキャスト壁高欄と、前記既設壁高欄の端部とを仮接合する既設壁高欄とプレキャスト壁高欄との仮固定方法であって、前記既設壁高欄が切断撤去された区間の既設壁高欄の端部と前記プレキャスト壁高欄の端部間に前記既設壁高欄と前記プレキャスト壁高欄とを仮接合する仮固定用治具を脱着可能に取り付けることを特徴とする既設壁高欄とプレキャスト壁高欄との仮固定方法。
【請求項４】
請求項３記載の既設壁高欄とプレキャスト壁高欄との仮固定方法であって、前記仮固定用冶具を、前記既設壁高欄および前記プレキャスト壁高欄の高さおよび厚さとほぼ同等の内法高と内法幅を有する断面略溝形状に形成し、かつ前記既設壁高欄および前記プレキャスト壁高欄に複数の仮固定ボルトによって仮固定することを特徴とする既設壁高欄とプレキャスト壁高欄との仮固定方法。
【発明の詳細な説明】
【技術分野】
【０００１】
本発明は、高速道路などの道路橋の既設壁高欄を経年劣化や損傷などで、部分的改修を必要とする場合に実施される既設壁高欄の部分更新工法に関し、急速かつ安全に改修工事を実施できるようにした工法である。
【背景技術】
【０００２】
近年、高速道路などの道路橋の壁高欄は、経年劣化が顕在化してきており、その早期改修が求められている。また、車両事故などで部分的に損傷することもあり、その場合には急速な早期復旧が求められる。
【０００３】
しかし、首都高速道路などの都市部の高速道路は、昼夜多くの車両が高速で走行しているため、極力短時間のうちに行う必要がある。また、数週間ないし数か月にわたって継続的に行う場合でも、早期に壁高欄を設置して交通の安全を確保する必要がある。
【０００４】
ところで、高速道路などの道路橋の既設壁高欄の改修工事では、安定した品質、強度、耐久性の向上、現場施工の省力化、工期短縮、さらには施工環境の改善(騒音の低下等)等が望まれるところであり、このため、JIS工場で製作されるプレキャストコンクリート構造の壁高欄（以下、「プレキャスト壁高欄」という。）の開発が進んでいる。
【０００５】
例えば、特許文献１には、既設の鉄筋コンクリート製の壁高欄(以下、「既設壁高欄」という。)を撤去して新規のプレキャスト壁高欄に取り換える橋梁壁高欄の接合方法の発明が開示されている。説明すると、既設壁高欄を床版上面よりやや上の位置で切断して撤去した後、切断部のコンクリートをウォータージェット等で除去してコンクリート内の鉄筋を露出させて壁高欄基部の継手筋とする。
【０００６】
次に、既設壁高欄を撤去した位置に新規のプレキャスト壁高欄を床版部より浮かせた状態に仮置きし、かつ床版部とプレキャスト壁高欄との取り合い部にモルタル充填空間を形成する。
【０００７】
また、プレキャスト壁高欄を仮置きすると同時に、プレキャスト壁高欄の下端部よりモルタル充填空間内に配筋された複数のループ筋と前記継手筋とを橋軸方向に互いにラップさせる。そして、前記モルタル充填空間内に必要な補強筋を追加配筋した後、無収縮モルタルを充填してプレキャスト壁高欄を床版部と一体化させる。
【０００８】
さらに、橋軸方向に隣接する各プレキャスト壁高欄の一方のプレキャスト壁高欄の端面に突設した継手金物を、他方のプレキャスト壁高欄の端面に形成した継手溝に挿入すると共に、前記継手溝に無収縮モルタルを充填することにより、橋軸方向に隣接する各プレキャスト壁高欄どうしを一体的に接合する。
【先行技術文献】
【特許文献】
【０００９】
【特許文献１】特許第５８４７４８３号公報
【特許文献２】特許第５８５１７５７号公報
【発明の概要】
【発明が解決しようとする課題】
【００１０】
しかし、特許文献１に開示された橋梁壁高欄の接合方法は、既設壁高欄を撤去した後に設置されるプレキャスト壁高欄と床版部とを接合する方法およびプレキャスト壁高欄どうしを接合する方法の発明である。
【００１１】
このため、特に既設壁高欄の部分的改修および中断を挟んだ改修工事における安全対策がないため、別途安全対策を講じる必要があった。
【００１２】
本発明は以上の課題を解決するためになされたもので、高速道路などの道路橋の既設壁高欄の改修を急速かつ安全に実施できるようにした既設壁高欄の部分更新工法を提供することを目的とするものである。
【課題を解決するための手段】
【００１３】
本発明は、道路橋の床版部に設置された既設壁高欄の一定区間を複数のプレキャスト壁高欄と交換して既設壁高欄の部分改修を行う既設壁高欄の部分更新工法の発明であり、新規のプレキャスト壁高欄を使用することにより、既設壁高欄の改修を急速かつ安全に実施することができ、また途中、工事を中断する場合でも、工事中断中の交通の安全を確保できるようにしたものであり、以下の工程からなることを特徴とする。
【００１４】
(1)前記既設壁高欄の橋軸方向の一定区間の両端部を鉛直方向に切断すると共に、床版上面部を橋軸方向に水平に切断して撤去する工程。
【００１５】
既設壁高欄の撤去は、たとえば、ワイヤーソーマシン等のカッターによって改修区間を、鉛直方向と床版上面部を橋軸方向に取り扱い容易な大きさに切断して順次撤去すればよい。
【００１６】
また、一工期の撤去区間は、設置されるプレキャスト壁高欄の一個当たりの橋軸方向の長さや作業効率などを参酌して決定すればよい。
【００１７】
(2)前記既設壁高欄を撤去した区間の一方の既設壁高欄の鉛直切断面にアンカー鉄筋定着用孔を削孔する工程。
【００１８】
アンカー鉄筋定着用孔の口径、深さ、さらに数量、間隔などは設計に基づいて決定すればよい。
【００１９】
(3)前記既設壁高欄の鉛直切断面に、孔あき鋼板ジベルからなる接合リブと固定フランジとからなる平面視Ｔ形状の接合治具を、前記アンカー鉄筋定着用孔に接着材によって定着される複数のアンカー鉄筋によって取り付ける工程。
【００２０】
接合治具の取付けには、例えば、現場施工の容易なケミカルアンカー等を使用することができ、また、アンカー鉄筋には異形鉄筋(Ｄ１６等)、接着材にはエポキシ樹脂等の従来製品も使用することができる。また、接合冶具の接合リブと固定フランジは予め平面視Ｔ形状に溶接し、アンカー鉄筋は固定フランジに予め溶接しておくことで、施工時に部品数が少なく接合冶具の取付けを効率的に行うことができる（図３参照）。
【００２１】
(4)前記既設壁高欄の鉛直切断面と隣接する位置に、当該鉛直切断面側の鉛直端面に凹溝を備えたプレキャスト壁高欄を設置すると共に、前記凹溝を前記接合治具の接合リブと係合させる工程。
【００２２】
ここで設置するプレキャスト壁高欄は、後述する実施形態では、両方の鉛直端面に凹溝を備えたプレキャスト壁高欄である(図１、図８（a）参照)。
【００２３】
(5)前記既設壁高欄の鉛直切断面に隣接して設置したプレキャスト壁高欄の設置区間を除く区間に、橋軸方向の一端側の鉛直端面に凹溝、他端側の鉛直端面に接合リブをそれぞれ備えた複数のプレキャスト壁高欄を橋軸方向に互いに隣接させて設置し、かつ隣接する凹溝と接合リブどうしを互いに係合させる工程（図１参照）。
【００２４】
各プレキャスト壁高欄の鉛直端面に突設された接合リブは、孔あき鋼板ジベルから形成され、その基端側に固定フランジが平面視Ｔ形状に溶接され、かつ当該固定フランジに複数のアンカー鉄筋が溶接されている（図４，５参照）。
【００２５】
また、接合リブはプレキャスト壁高欄の成形時に、固定フランジとアンカー鉄筋をコンクリート内に埋設して取り付け、また、凹溝もプレキャスト壁高欄の成形時に形成しておくことで、現場施工の大幅な省力化を図ることができる。
【００２６】
プレキャスト壁高欄はクレーン等で吊り、凹溝に接合リブを挿入し、床版部の上に落とし込むようにして設置することで、複数のプレキャスト壁高欄を既設壁高欄の撤去区間にきわめて効率的にかつ安全に設置することができる（図８参照）。
【００２７】
(6)前記凹溝内に超速硬高流動性無収縮モルタルを充填する工程。
【００２８】
超速硬高流動性無収縮モルタルとしては、例えば、ハイパフォーマンスモルタルやベースタイトグラウトＱ-ＥＸ(秩父コンクリート工業株式会社製造)などが適している。特に、ハイパフォーマンスモルタルは、超速硬セメントをベースに各種混和剤をプレミックスした、超速硬高流動性無収縮モルタルであり、短時間で所定の強度が得られ、また、可使時間も十分確保でき、さらに充填性が高く、かつ流動性などにも優れている。
【００２９】
また、既設壁高欄の改修工事を一工期の区間で一時的に中断し、次の区間は翌日の夜間帯またはそれ以降に再開する場合は、最後尾のプレキャスト壁高欄と既設壁高欄間の接合は、接合治具を使用せず仮固定用治具で仮接合することで(図６参照)、工事中断中における交通の安全を図ることができ、また、仮固定用冶具を撤去して既設壁高欄の改修工事を速やかに再開することができる。
【００３０】
仮固定用治具としては、取付けおよび取外しが簡単で、かつ既設壁高欄とプレキャスト壁高欄とを強固に仮接合できるものであればよく、例えば、既設壁高欄およびプレキャスト壁高欄の高さおよび厚さとほぼ同等の内法高と内法幅を有する断面略溝形状に形成され、かつ既設壁高欄とプレキャスト壁高欄に仮固定ボルトで脱着可能に固定できるものであればよい（図６参照）。
【００３１】
また、プレキャスト壁高欄および既設壁高欄の高さおよび厚さ、並びにプレキャスト壁高欄および既設壁高欄の側部に当接する側板部については、プレキャスト壁高欄と既設壁高欄の高さおよび厚さが異なる場合があるため、その状況に応じて段差を設ける等して仮固定用治具を設計すればよい。
【００３２】
なお、床版部の上に落とし込んだ各プレキャスト壁高欄と床版部との接合は、たとえば、各プレキャスト壁高欄の下端部と床版部との間に継手空間を設け、当該継手空間に各プレキャスト壁高欄の下端部と床版部の上面より複数のループ筋と継ぎ鉄筋をそれぞれ配筋し、かつ超速硬高流動性無収縮モルタルを充填する等の方法により接合することができる。
【発明の効果】
【００３３】
本発明によれば、経年劣化や車両事故などで損傷した既設壁高欄の一定区間を、プレキャスト壁高欄と交換することにより急速かつ安全に改修することができる。
【００３４】
また、改修工事を一時的に中断し、その後再開する場合でも、既設壁高欄の端部とプレキャスト壁高欄とを仮固定用治具で仮接合することで、工事中断中における交通の安全を図ることができ、また、仮固定用治具を撤去して既設壁高欄の改修工事を速やかに再開することができる。
【図面の簡単な説明】
【００３５】
【図１】プレキャスト壁高欄によって改修された道路橋の壁高欄の一区間を図示したものであり、図１（a）は正面図、図１（b）は横断面図である。
【図２】プレキャスト壁高欄によって改修された道路橋の壁高欄を示す一部斜視図である。
【図３】既設壁高欄とプレキャスト壁高欄との接合部を図示したものであり、図３(a)は、図１（a）におけるイ−イ線断面図、図３(b)はその分解斜視図である。
【図４】既設壁高欄の鉛直切断面に隣接して設置されたプレキャスト壁高欄と、当該プレキャスト壁高欄に隣接して設置されたプレキャスト壁高欄との接合部を図示したものであり、図４(a)は、図１（a）におけるロ−ロ線断面図、図４(b)はその分解斜視図である。
【図５】互いに隣接して設置されたプレキャスト壁高欄どうしの接合部を図示したものであり、図５(a)は、図１（a）におけるハ−ハ線断面図、図５(b)はその分解斜視図である。
【図６】既設壁高欄と一区間の最後尾のプレキャスト壁高欄との仮接合部を図示したものであり、図６(a),（b）は、図１（a）におけるニ部斜視図である。
【図７】本発明の既設壁高欄の部分更新工法の施工手順を図示したものであり、図７(a)は更新前の既設壁高欄の一部正面図、図７(b)は既設壁高欄撤去後の既設壁高欄の更新区間の正面図である。
【図８】図８(a)は、図７に図示する既設壁高欄の部分更新工法の施工手順において、既設壁高欄の撤去区間に最初のプレキャスト壁高欄を設置する方法を示す正面図、図８(b)は最後尾のプレキャスト壁高欄を設置する方法を示す正面図であるが、この場合、最後尾のプレキャスト壁高欄と既設壁高欄との接合部は仮接合を示す。
【発明を実施するための形態】
【００３６】
図１〜図６は、橋軸方向の一定区間が複数のプレキャスト壁高欄によって改修された道路橋の壁高欄の一部を図示したものであり、既設壁高欄１の一部が切断撤去された区間Ａの床版部２の上にプレキャスト壁高欄３Ａと複数のプレキャスト壁高欄３Ｂが橋軸方向に互いに隣接して設置され、かつ橋軸方向に互いに接合されている。
【００３７】
なお、区間Ａ内に設置されるプレキャスト壁高欄３Ａおよび３Ｂの橋軸方向の長さは、すべて同じである必要はない。
【００３８】
プレキャスト壁高欄３Ａは、区間Ａのうちの一端側の区間Ａ1内に設置され、複数のプレキャスト壁高欄３Ｂは残りの区間Ａ2内に設置されている（図１（a）,(b)参照）。また、プレキャスト壁高欄３Ａの既設壁高欄１側の鉛直端面は、既設壁高欄１の鉛直切断面１ａに接合され、反対側の鉛直端面はプレキャスト壁高欄３Ｂの鉛直端面に接合され、さらに各プレキャスト壁高欄３Ｂの両側の鉛直端面はそれぞれ互いに接合されている。
【００３９】
また、プレキャスト壁高欄３Ａと各プレキャスト壁高欄３Ｂの下端面は、床版部２の上にそれぞれ接合されている(図２参照)。
【００４０】
接合方法について具体的に説明すると、既設壁高欄１とプレキャスト壁高欄３Ａ間は、既設壁高欄１の鉛直切断面１ａに取り付けられた接合治具４の接合リブ４ａをプレキャスト壁高欄３Ａの鉛直端面に形成された凹溝５に挿入し、かつその周囲に超速硬流動性無収縮モルタル６を充填することにより接合されている（図３（a）,（b）参照）。
【００４１】
接合治具４は、接合リブ４aと固定フランジ４ｂとから平面視Ｔ形状に形成され、特に接合リブ４ａは孔あき鋼板ジベル(ＰＢＬ)から形成されている（図３参照）。
【００４２】
また、接合治具４は、既設壁高欄１の鉛直切断面１ａに複数のアンカー鉄筋８によって取り付けられている。特に、アンカー鉄筋８は、鉛直切断面１ａに削孔され、かつ接着材１０が充填されたアンカー鉄筋定着用孔９内に挿入することにより定着されている。そして、当該アンカー鉄筋８は接合冶具４の固定フランジ４ｂに溶接されている。
【００４３】
なお、アンカー鉄筋８には異形鉄筋（Ｄ１６等）などが使用され、接着材１０にはエポキシ樹脂などが使用されている。また、アンカー鉄筋８は接合冶具４の固定フランジ４ｂに予め溶接され、接合冶具４と共に一つの接合部材として設置されている。
【００４４】
プレキャスト壁高欄３Ａとプレキャスト壁高欄３Ｂ間は、プレキャスト壁高欄３Ｂの鉛直端面に取り付けられた接合冶具７の接合リブ７ａをプレキャスト壁高欄３Ａの鉛直端面に形成された凹溝５に挿入し、その周囲に超速硬流動性無収縮モルタル６を充填することにより接合されている（図４（a）,（b）参照）。
【００４５】
また、各プレキャスト壁高欄３Ｂ,３Ｂ間は、一方のプレキャスト壁高欄３Ｂの鉛直端面に取り付けられた接合冶具７の接合リブ７ａを他方のプレキャスト壁高欄３Ｂの鉛直端面に形成された凹溝５に挿入し、その周囲に超速硬流動性無収縮モルタル６を充填することにより接合されている（図５（a）,（b）参照）。
【００４６】
接合冶具７は、接合リブ７ａと固定フランジ７ｂとから平面視Ｔ形状に形成され、特に接合リブ７ａは孔あき鋼板ジベル（ＰＢＬ）から形成され、また固定フランジ７ｂに複数のアンカー鉄筋８が溶接されている（図４，５参照）。したがって、接合冶具７は、接合冶具４と基本的に同一形状および同一寸法に形成されている。
【００４７】
また、接合冶具７の固定フランジ７ｂとアンカー鉄筋８は、プレキャスト壁高欄３Ｂの成形時にコンクリート内に埋設され、接合リブ７ａのみがプレキャスト壁高欄３Ｂの鉛直端面に突出している。
【００４８】
各プレキャスト壁高欄３Ｂは、基本的に同一断面形状に形成されているが、橋軸方向の寸法は、撤去区間Ａの割付け等により異なる場合がある。また、一般的に、プレキャスト壁高欄３Ａには接合リブ７ａが無く、両側の鉛直端面に凹溝５が形成されている。さらに、プレキャスト壁高欄３Ａと３Ｂの下端部には複数のループ筋１１が橋軸方向に一定間隔おきに突設されている。
【００４９】
以上の構成により、プレキャスト壁高欄３Ａと既設壁高欄１間、プレキャスト壁高欄３Ａとプレキャスト壁高欄３Ｂ間、および各プレキャスト壁高欄３Ｂ，３Ｂ間が互いに接合されている。
【００５０】
また特に、改修工事が撤去区間Ａで一時的に中断される場合は、図６に図示するようにプレキャスト壁高欄３Ｂと既設壁高欄１間は仮固定用治具１２によって仮接合される。
【００５１】
仮固定用治具１２は、プレキャスト壁高欄３Ｂと既設壁高欄１の高さおよび厚さとほぼ同等の内法高さと内法幅を有し、真下に開口する溝形状に形成されている。
【００５２】
また、プレキャスト壁高欄３Ｂと既設壁高欄１の上端面に当接する天板部１２ａの内側にプレキャスト壁高欄３Ｂの端面に形成された凹溝５に係合する突起１２ｂが形成されている。さらに、プレキャスト壁高欄３Ｂおよび既設壁高欄１の側部に当接する側板部１２ｃに複数のボルト貫通孔１２ｄが形成されている。
【００５３】
なお、プレキャスト壁高欄３Ｂおよび既設壁高欄１の高さおよび厚さ、並びにプレキャスト壁高欄３Ｂおよび既設壁高欄１の側部に当接する側板部１２cについては、プレキャスト壁高欄３Ｂと既設壁高欄１の高さおよび厚さが異なる場合があるため、その状況に応じて段差を設ける等して仮固定用治具１２を設計すればよい。
【００５４】
そして、このように形成された仮固定用治具１２は、プレキャスト壁高欄３Ｂと既設壁高欄１間の接合部に上から被せられ、かつ側板部１２cがボルト貫通孔１２dを貫通する複数の仮固定用ボルト１３によってプレキャスト壁高欄３Ｂと既設壁高欄１の側部に固定されている。
【００５５】
なお、図６に図示するように、仮固定用冶具１２の両側板部１２c，１２cをプレキャスト壁高欄３Ｂと既設壁高欄１の両側部に複数の仮固定用ボルト１３によって固定して、プレキャスト壁高欄３Ｂと既設壁高欄１間の両側部を仮接合することにより、プレキャスト壁高欄３Ｂと既設壁高欄１間をより強固に仮接合することができる。
【００５６】
仮固定用治具１２は、両側の側板部１２c,１２cをプレキャスト壁高欄３Ｂおよび既設壁高欄１の両側部にボルト止めすることにより、プレキャスト壁高欄３Ｂと既設壁高欄１間をより強硬に仮接合することができる。また、仮固定用治具１２は設計上適切な板厚の鋼板より形成されている。
【００５７】
このように構成されていることで、工事中断中の交通の安全を図ることができ、また、撤去区間Ａに続いて次の区間の改修工事に着手するときは、仮固定用治具１２を取り外して次の区間の改修工事に速やかに取りかかることができる。
【００５８】
なお、プレキャスト壁高欄３Ａおよび各プレキャスト壁高欄３Ｂと床版部２間は、プレキャスト壁高欄３Ａおよび各プレキャスト壁高欄３Ｂと道路床版部２との間にモルタル充填空間Ｂを設け、当該モルタル充填空間Ｂ内にプレキャスト壁高欄３Ａおよび各プレキャスト壁高欄３Ｂの下端部に突設されたループ筋１１と床版部２の上に突設された継ぎ鉄筋１４を橋軸方向に交互に配筋し、その充填空間Ｂに超速硬高流動性無収縮モルタル６を充填することにより一体的に接合されている（図２参照）。
【００５９】
継ぎ鉄筋１４は、床版部２の上面よりモルタ充填空間Ｂ内にループ状に配筋され、かつ両端が床版部２の上面に突設されたアンカー筋１５に接続されている。また、継ぎ鉄筋１４は橋軸方向にループ筋１１と交互に重なるように配筋されている。アンカー筋１５には拡底アンカー等が使用されている。
【００６０】
このような構成において、次に、本発明の既設壁高欄の部分更新工法の施工手順を説明する。
【００６１】
(1)最初に、既設壁高欄１の改修を必要とする一定区間Ａを橋軸方向に切断して撤去する。区間Ａの撤去は、たとえば、ワイヤーソーマシン等のカッターによって区間Ａを鉛直方向と床版部２の床面上面部を橋軸方向に水平に切断することにより、取り扱い容易な長さに順次切断して撤去する。また、必要に応じて鉛直切断面1aの表面処理を行う。なお、撤去区間Ａの長さは、プレキャスト壁高欄３Ａおよび３Ｂの一個当たりの橋軸方向の長さ、作業効率などを参酌して決定する。
【００６２】
(2)次に、既設壁高欄１を撤去した区間Ａの一方の既設壁高欄１の鉛直切断面１ａにアンカー鉄筋定着用孔９を削孔する（図３参照）。アンカー鉄筋定着用孔９の口径、深さ、さらに数量、間隔などは設計に基づいて決定すればよい。
【００６３】
(3)次に、各アンカー鉄筋８の周囲に接着材１０としてエポキシ樹脂を充填する。そして、接合冶具４の固定フランジ４ｂにあらかじめ溶接した複数の各アンカー鉄筋８を対応する各アンカー鉄筋定着用孔９内にそれぞれ挿入して固定する（図３参照）。
【００６４】
なお、アンカー鉄筋８には異形鉄筋(Ｄ１６)、接着材１０にはエポキシ樹脂を使用することができる。また、アンカー鉄筋８は接合治具４の固定フランジ４ｂに予め溶接して先付けしておくことにより部品数が少なくなり、取付けが容易になる。
【００６５】
(4)次に、接合治具４を取り付けた既設壁高欄１と隣接する区間Ａ1に、プレキャスト壁高欄３Ａを設置し、凹溝５を接合治具４の接合リブ４ａと係合させる（図４，８参照）。
【００６６】
(5)次に、プレキャスト壁高欄３Ａを設置した区間Ａ1を除く区間Ａ2に複数のプレキャスト壁高欄３Ｂを橋軸方向に互いに隣接させて設置し、かつ隣接する各凹溝５と接合リブ７ａどうしを互いに係合させる（図５，８参照）。
【００６７】
なお、プレキャスト壁高欄３Ａおよび３Ｂはクレーン等で吊り、対向する凹溝５と接合リブ４ａ、凹溝５と接合リブ７ａをそれぞれ係合させ、上方より床版部２の上に落とし込むようにして区間Ａ1およびＡ2内に設置することで、プレキャスト壁高欄３Ａと３Ｂを既設壁高欄の撤去区間Ａにきわめて効率的に設置することができる。
【００６８】
(6)そして、各プレキャスト壁高欄３Ａおよび３Ｂと床版部２間の接合部および各凹溝５内に超速硬高流動性無収縮モルタル６を充填して、既設壁高欄１とプレキャスト壁高欄３Ａ間、プレキャスト壁高欄３Ａと３Ｂ間および各プレキャスト壁高欄３Ｂ,３Ｂ間をそれぞれ一体的に接合する。以上の施工手順により既設壁高欄の撤去区間Ａの改修工事を完了する。
【００６９】
また特に、区間Ａの改修工事完了後、改修工事を一時的に中断する場合は、図６に図示するようにプレキャスト壁高欄３Ｂと既設壁高欄１との接合部に仮固定用治具１２を被せて、プレキャスト壁高欄３Ｂと既設壁高欄１間を仮接合する(図１、図６参照)。
【００７０】
仮固定用治具１２は、プレキャスト壁高欄３Ｂと既設壁高欄１の両側部に、両側板部１２c,１２cのボルト貫通孔１２dを貫通する複数の仮固定用ボルト１３によってボルト締結することにより固定する。
【００７１】
そして、撤去区間Ａに続いて次の区間の改修工事に着手するときは、仮固定用治具１２を取り外して次の区間の改修工事に速やかに取り掛かることができる。
【産業上の利用可能性】
【００７２】
本発明は、高速道路などの道路橋の既設壁高欄を経年劣化や損傷などで、部分的改修を必要とする場合に、プレキャスト壁高欄を用いて急速かつ安全に改修工事を実施することができる。
【符号の説明】
【００７３】
１  既設壁高欄
１ａ  既設壁高欄の鉛直切断面
２  床版部
３Ａ  プレキャスト壁高欄
３Ｂ  プレキャスト壁高欄
４  接合治具
４ａ  接合リブ
４ｂ  固定フランジ
５  凹溝
６  超速硬高流動性無収縮モルタル
７  接合冶具
７ａ  接合リブ
７ｂ  固定フランジ
８  アンカー鉄筋
９  アンカー鉄筋定着用孔
１０  接着材
１１  ループ筋
１２  仮固定用治具
１２ａ  天板部
１２ｂ  突起
１２ｃ  側壁部
１２ｄ  貫通孔
１３  仮固定用ボルト
１４  継ぎ鉄筋
１５  アンカー筋
【図１】
2019214821.tif 000003
【図２】
2019214821.tif 000004
【図３】
2019214821.tif 000005
【図４】
2019214821.tif 000006
【図５】
2019214821.tif 000007
【図６】
2019214821.tif 000008
【図７】
2019214821.tif 000009
【図８】
2019214821.tif 000010